(57)【要約】【課題】回路遮断器の補助カバーを主カバーに連結部を介して取付ける補助カバーの連結構造において、連結軸と挟持突起からなる連結部の隙間が大きくなると、回路遮断器内部の導電部品の露出や遮断時の溶融物の吹き出しの可能性がある。【解決手段】補助カバーを主カバーに連結部を介して開閉可能に取付けた回路遮断器であって、前記連結部は、前記補助カバーの端縁に設けた突起の側面に突設された連結軸と、主カバーに設けた前記連結軸を挟持する挟持突起からなり、前記連結軸は所定の軸径を有する円柱形状の一端を切り欠いた形状であり、前記挟持突起は前記連結軸を挿入可能な溝を有しており、該溝の幅は前記連結軸の軸径よりも小さく前記連結軸の切り欠き部分から径方向の対向する端部までの長さよりも大きい構造とする。これにより、連結部の隙間を小さくでき、安全性の高い、回路遮断器を提供できる。【選択図】図１
2015207361.tif 000002
【特許請求の範囲】
【請求項１】
ベースとこれを覆う主カバー内に開閉遮断機構を内蔵し、主カバーに設けられた付属装置取付け用の凹部を覆う補助カバーを主カバーに連結部を介して開閉可能に取付けた回路遮断器であって、
前記連結部は、前記補助カバーの端縁に設けた突起の側面に突設された連結軸と、主カバーに設けた前記連結軸を挟持する挟持突起からなり、
前記連結軸は所定の軸径を有する円柱形状の一端を切り欠いた形状であり、
前記挟持突起は前記連結軸を挿入可能な溝を有しており、該溝の幅は前記連結軸の軸径よりも小さく前記連結軸の切り欠き部分から径方向の対向する端部までの長さよりも大きいことを特徴とする回路遮断器。
【請求項２】
請求項１に記載の回路遮断器であって、
前記主カバーは、前記補助カバーの突起を収容する切欠き部を有し、該切欠き部は前記主カバーの主平面よりも掘り下げて形成されており、前記連結軸の回転中心が前記主カバーの主平面に前記連結軸の軸径を加算した位置よりも低い位置であることを特徴とする回路遮断器。
【請求項３】
請求項１または２のいずれか１項に記載の回路遮断器であって、
前記補助カバーは前記突起を２つ有し、前記主カバーは前記挟持突起を３つ有することを特徴とする回路遮断器。
【請求項４】
請求項１から３のいずれか１項に記載の回路遮断器であって、
前記連結軸は所定の径を有する円柱形状の一部に窪みまたは切り込みを設けた形状であり、前記挟持突起の溝の幅は前記連結軸の軸径よりも小さく前記連結軸の窪みまたは切り込みを設けた部分から径方向の対向する端部までの長さよりも大きいことを特徴とする回路遮断器。
【発明の詳細な説明】
【技術分野】
【０００１】
本発明は、回路遮断器に係り、特に付属装置の収納部分をカバーする補助カバーの連結構造に関する。
【背景技術】
【０００２】
回路遮断器は、ベースとそれを覆う主カバー内に、主回路の固定接点と可動接点、消弧装置、可動接点の開閉機構、過電流トリップ機構を有すると共に、付属装置を内蔵している。付属装置としては、主回路接点の開閉動作に応じて開路、閉路を電気的に出力する補助スイッチ、回路遮断時のトリップ動作を電気的に出力する警報スイッチなどがある。この付属装置は、ユーザサイドで自由に取付けられるようになっている。また、主カバーに付属装置を収容する凹部が形成され、この凹部を覆うために補助カバーが装着されている。
【０００３】
この分野に関する従来技術として、特開平６−１２４６３８号公報（特許文献１）がある。特許文献１には、補助カバーを蝶番部により主カバーに開閉可能に取付けた構造が開示されている。また、特開２００９−４１６６号公報（特許文献２）がある。特許文献２には、補助カバーを主カバーにヒンジ部を介して連結し、そのヒンジ部は主カバーに設けた連結軸と、補助カバーに設けた連結軸を挟む一対の挟持突起で構成される構造が開示されている。
【先行技術文献】
【特許文献】
【０００４】
【特許文献１】特開平６−１２４６３８号公報
【特許文献２】特開２００９−４１６６号公報
【発明の概要】
【発明が解決しようとする課題】
【０００５】
前記特許文献１は、蝶番部として、主カバーにピン孔式保持部を設け、補助カバーのピンを連結させている。そのために、主カバーのピン孔式保持部を収容する切欠きを補助カバーに設ける必要があり、補助カバーの切欠き部分の隙間が大きくなり、回路遮断器内部の導電部品の露出や遮断時の溶融物の吹き出しの可能性がある。また、補助カバーを主カバーに取付ける際に、ピンをピン孔に嵌め込む必要があるので補助カバーが破損する恐れもある。また、特許文献２も、同様に、連結軸と挟持突起からなる連結部の隙間が大きく、回路遮断器内部の導電部品の露出や遮断時の溶融物の吹き出しの可能性がある。
【０００６】
本発明では、連結部の隙間を小さくし、かつ、補助カバーが破損する可能性を低減した補助カバー連結構造を有する回路遮断器を提供することにある。
【課題を解決するための手段】
【０００７】
上記課題を解決するために、例えば特許請求の範囲に記載の構成を採用する。本発明は上記課題を解決する手段を複数含んでいるが、その一例を挙げるならば、ベースとこれを覆う主カバー内に開閉遮断機構を内蔵し、主カバーに設けられた付属装置取付け用の凹部を覆う補助カバーを主カバーに連結部を介して開閉可能に取付けた回路遮断器であって、前記連結部は、前記補助カバーの端縁に設けた突起の側面に突設された連結軸と、主カバーに設けた前記連結軸を挟持する挟持突起からなり、前記連結軸は所定の軸径を有する円柱形状の一端を切り欠いた形状であり、前記挟持突起は前記連結軸を挿入可能な溝を有しており、該溝の幅は前記連結軸の軸径よりも小さく前記連結軸の切り欠き部分から径方向の対向する端部までの長さよりも大きい構造とした。
【発明の効果】
【０００８】
本発明によれば、連結部の隙間を小さくし、組立て性が向上した補助カバー連結構造を有する回路遮断器を提供できる。
【図面の簡単な説明】
【０００９】
【図１】本実施例の回路遮断器の外観図である。
【図２】本実施例の連結部の断面図である。
【図３】本実施例の補助カバーの詳細構成図である。
【図４】本実施例の主カバーの詳細構成図である。
【図５】本実施例の補助カバーを主カバーに取付ける際の動作を説明するための連結部の断面図である。
【図６】本実施例の連結軸の変形例を示す軸断面図である。
【発明を実施するための形態】
【実施例】
【００１０】
本発明の実施例を、以下、図面を用いて説明する。
図１は本実施例の回路遮断器の外観図を示し、（Ａ）は外観を示す斜視図、（Ｂ）は（Ａ）の縦断面斜視図である。図１において、１はモールド樹脂からなるベース、２はベース１を覆う主カバーである。ベース１と主カバー２内には、固定接点と可動接点、消弧装置、可動接点の開閉機構、過電流トリップ機構などの開閉遮断機構が内蔵される。また、主カバー２には、付属装置取付け用の凹部が設けられている。３は付属装置取付け用の凹部を覆う補助カバーであり、４で示す連結部によって主カバー２に開閉可能に取付けられている。
【００１１】
図２は連結部４の断面図を示し、（Ａ）は断面斜視図、（Ｂ）は断面側面図である。図２において、補助カバー３は、その端縁に突起５を有し、その側面に突設された連結軸６が設けられている。また、主カバー２は、連結軸６を挟持する挟持突起７が設けられている。また、主カバー２は、補助カバー３の突起５を収容する切欠き部８を有し、その切欠き部８は主カバー２の主平面９よりも掘り下げて形成されており、連結軸６の回転中心が主カバーの主平面に連結軸の軸径を加算した位置よりも低い位置となっている。
【００１２】
図３は補助カバー３の詳細構成図であり、（Ａ）は斜視図、（Ｂ）は正面図、（Ｃ）は側面図、（Ｄ）は背面図である。図３に示すように、突起５の側面に突設された連結軸６が配置されている。本実施例では、突起５を２つとして、うち１つの突起は両側面に２つの連結軸を設け、他の突起は片側側面から連結軸を１つ設けている。なお、本実施例は、これに限定するものでなく、例えば、突起を１つとして、その両側面に設けた２つの連結軸としても良いし、突起２つに対して連結軸を４つとしても良い。
【００１３】
図４は主カバー２の詳細構成図であり、（Ａ）は斜視図、（Ｂ）は正面図、（Ｃ）は側面図、（Ｄ）は背面図である。図４に示すように、挟持突起７と切欠き部８を有し、図３の補助カバー３に対応して、挟持突起７が３つ、切欠き部８が２つとしている。なお、本実施例は、これに限定するものでなく、例えば、挟持突起２つ、切欠き部１つとしても良いし、挟持突起４つ、切欠き部２つとしても良い。
【００１４】
図５は、補助カバー３を主カバー２に取付ける際の動作を説明するための連結部４の断面図を示している。図５において、（Ａ）は取付ける動作途中の状態、（Ｂ）は取付け完了後の状態を示している。図５（Ａ）において、挟持突起７は開口部を有しており、その開口部端部と主カバーの対向面との間からなる溝を形成している。また、連結軸６は、所定の軸径を有する円柱形状の一端を切り欠いた形状である。そして、挟持突起７の溝の幅（間隔）１０は、連結軸の軸径よりも小さく連結軸の切り欠き部分から径方向の対向する端部までの長さよりも大きくなるように構成されている。よって、連結軸の切り欠いた後の最小径が溝を通過する連結軸の所定方向のみで連結軸を溝に挿入することが出来る。よって、挟持突起７の溝の幅は連結軸の軸径よりも小さくできるので、連結部の隙間を小さくすることが出来る。
【００１５】
また、前述したように、主カバー２は、補助カバー３の突起５を収容する切欠き部８を有し、その切欠き部８は主カバー２の主平面９よりも掘り下げて形成されているので、（Ａ）の矢印のように斜め下方向に連結軸を溝に挿入した後、（Ｂ）に示すように補助カバー３を寝かせることで、連結軸６は挟持突起７の凹部に嵌合し外れ防止とできる。また、挟持突起７の溝である開口部の位置を低い位置と出来るので、連結部の隙間を小さくすることが出来る。
【００１６】
さらに、連結軸６の回転中心が主カバーの主平面に連結軸の軸径を加算した位置よりも低い位置となるので、連結部が突出して回路遮断器の外径が大型化するのを防ぐことが出来る。
【００１７】
図６は、連結軸６の変形例を示す軸断面図である。（Ａ）は、上記で説明した、切り欠いた形状を示している。（Ａ）において、連結軸４の軸径aに対して、切り欠き部分から径方向の対向する端部までの長さｂは短く、前述したように、挟持突起７の溝１０は、軸径aよりも小さく、ｂよりも長く設定されている。本実施例は、連結軸の軸径よりも小さな溝に、連結軸の所定方向のみで挟持突起７の溝１０に挿入することが出来ればよいので、説明した（Ａ）に示す切り欠いた形状に限定されない。例えば、（Ｂ）に示す窪みを設けた形状、（Ｃ）の中心位置まで切り込みを入れた形状、（Ｄ）のＵ字状の切り込みを入れた形状のように、軸径に対して、窪みまたは切り込み部分から径方向の対向する端部までの長さｂが短い構成でも良い。なお、（Ａ）から（Ｄ）の例において、角部はＲ形状にしてもかまわない。なお、（Ｂ）から（Ｄ）の例においては、連結軸６を挟持突起７の溝１０を回り込ませるようにして挿入することで補助カバー３を主カバー２に取付けることが出来る。
【００１８】
なお、本実施例では、切欠き部８は主カバー２の主平面９よりも掘り下げて形成すると説明したが、掘り下げなくても良く、挟持突起の溝の幅を連結軸の軸径よりも小さくできるので、連結部の隙間を小さくすることが出来るという効果がある。
【００１９】
以上のように、本実施例は、ベースとこれを覆う主カバー内に開閉遮断機構を内蔵し、主カバーに設けられた付属装置取付け用の凹部を覆う補助カバーを主カバーに連結部を介して開閉可能に取付けた回路遮断器であって、前記連結部は、前記補助カバーの端縁に設けた突起の側面に突設された連結軸と、主カバーに設けた前記連結軸を挟持する挟持突起からなり、
前記連結軸は所定の軸径を有する円柱形状の一端を切り欠いた形状であり、前記挟持突起は前記連結軸を挿入可能な溝を有しており、該溝の幅は前記連結軸の軸径よりも小さく前記連結軸の切り欠き部分から径方向の対向する端部までの長さよりも大きい構造とした。
【００２０】
これにより、連結部の隙間を小さくでき、安全性の高い、組立て性が向上した補助カバー連結構造を有する回路遮断器を提供できる。
【００２１】
以上実施例について説明したが、本発明は上記した実施例に限定されるものではなく、様々な変形例が含まれる。すなわち、構成部品の形状、配置は、本実施例に限定されるものではなく、本発明の趣旨において適宜変更しても良い。
【符号の説明】
【００２２】
１：ベース、２：主カバー、３：補助カバー、４：連結部、
５：補助カバーの突起、６：補助カバーの連結軸、７：主カバーの挟持突起、
８：主カバーの切欠き部、９：主カバーの主平面、１０：挟持突起の溝
【図１】
2015207361.tif 000003
【図２】
2015207361.tif 000004
【図３】
2015207361.tif 000005
【図４】
2015207361.tif 000006
【図５】
2015207361.tif 000007
【図６】
2015207361.tif 000008